(57)【要約】【課題】木の大量伐採が必要なくなり、生産コストが低減になり、吸湿性および吸水性が向上になり、臭いが付着し難く、滑止効果および騒音断絶効果が良くなるコルク表層付きマットを提供する。【解決手段】一つのコルク層と、一つのＥＶＡ層と、一つのゲル層とを含むコルク表層付きマットにおいて、コルク層は、コルクシートを裁断して形成されたものであり、マットの表層とされ、更に焼かれたと模様区域が上面に形成され、焼き時間の長さを調整することにより、模様区域の顔色の濃さが変化し、ＥＶＡ層はマットの底層とされ、ゲル層は、コルク層とＥＶＡ層との間に塗布され、マットの中層とされる。【選択図】図２
0003127480.tif 000002
【実用新案登録請求の範囲】
【請求項１】
一つのコルク層と、一つのＥＶＡ層と、一つのゲル層とを含むコルク表層付きマットにおいて、
前記コルク層は、コルクシートを裁断して形成されたものであり、マットの表層とされ、更に焼かれたと模様区域が上面に形成され、焼き時間の長さを調整することにより、前記模様区域の顔色の濃さが変化し、
前記ＥＶＡ層は、マットの底層とされ、
前記ゲル層は、前記コルク層と前記ＥＶＡ層との間に塗布され、マットの中層とされることを特徴とする、
コルク表層付きマット。
【請求項２】
前記ゲル層は、熱圧あるいは粘着方式により前記コルク層と前記ＥＶＡ層とを結合することを特徴とする、請求項１に記載のコルク表層付きマット。
【請求項３】
辺縁の形状は、タイルのような直線形状にしてもいいし、組合式マットのような鋸歯形状にしてもいいことを特徴とする、請求項１に記載のコルク表層付きマット。
【考案の詳細な説明】
【技術分野】
【０００１】
本考案は、コルク表層付きマットに係り、特に、表層にコルクを採用し、底層にＥＶＡ材質を採用し、中層にゲル層を採用し、熱圧あるいは粘着方式により前記ゲル層が前記コルク層と前記ＥＶＡ層とを結合し、且つ焼き時間の長さを調整することにより、模様区域の顔色の濃さが変化するコルク表層付きマットに関するものである。
【背景技術】
【０００２】
一般の原木の床板は、人間の大自然を愛する天性に合うので、国民に愛用されるようになっており、しかし、原木床板が高級木を伐採して得られるものであるので、入手できる数量には制限があり、且つ環境保全意識の強化に従って、木の大量伐採が規制され、だから、原木床板の生産コストは極めて高く、一般の国民にとって原木床板の価格が高すぎる。
【０００３】
まず、図１を参照する。図１に示すのは従来のＥＶＡ（Ethylene VinylAcetate,エシレン酢酸ビニル）マット１である。従来のＥＶＡマット１は、その作製はマットの希望形状に一体成形され、フレキシブルの特性を有するが、吸湿性および吸水性が低いので、長期間に使用されたと、マットに臭いが付着され、且つ付着された臭いの除去はできなく、また、従来のＥＶＡマット１は、滑止効果および騒音断絶効果も良くない。
【０００４】
また、単にコルクで作製されたマットである場合には、その表層は単調すぎる欠点がある。
【考案の開示】
【考案が解決しようとする課題】
【０００５】
本考案の主な目的は、木の大量伐採が必要なくなり、生産コストが低減になり、吸湿性および吸水性が向上になり、臭いが付着し難く、滑止効果および騒音断絶効果が良くなるコルク表層付きマットを提供する。
【課題を解決するための手段】
【０００６】
上記目的を達成するためになされた本願の考案は、一つのコルク層と、一つのＥＶＡ層と、一つのゲル層とを含むコルク表層付きマットにおいて、前記コルク層は、コルクシートを裁断して形成されたものであり、マットの表層とされ、更に焼かれたと模様区域が上面に形成され、焼き時間の長さを調整することにより、前記模様区域の顔色の濃さが変化し、前記ＥＶＡ層は、マットの底層とされ、前記ゲル層は、前記コルク層と前記ＥＶＡ層との間に塗布され、マットの中層とされることを特徴とするコルク表層付きマットであることを要旨としている。
【０００７】
本願の考案では、前記ゲル層は、熱圧あるいは粘着方式により前記コルク層と前記ＥＶＡ層とを結合することを特徴とする請求項１に記載のコルク表層付きマットであることを要旨としている。
【０００８】
本願の考案では、辺縁の形状は、タイルのような直線形状にしてもいいし、組合式マットのような鋸歯形状にしてもいいことを特徴とする請求項１に記載のコルク表層付きマットであることを要旨としている。
【考案の効果】
【０００９】
本考案のコルク表層付きマットによれば、次のような効果がある。
（イ）本考案のコルク表層付きマットは、その上面が焼かれて模様が形成され、且つ焼き時間の長さを調整することにより、前記模様区域の顔色の濃さが変化し、だから、マット全体の外観が綺麗になる。
【００１０】
（ロ）本考案のコルク表層付きマットは、ホルムアルデヒドの使用量が低く、コルクがリサイクル可能の素材であり、且つコルクは、耐摩耗性が良く、耐久性が良く、椅子の脚部などの圧力に対する回復性能が強く、汚れが付着し難く、化学性質が良いので、本考案のコルク表層付きマットは地球環境に優しい製品である。
【００１１】
（ハ）コルクは、その内部にエアーの含有率が５０％にも達するため、天然の断熱材と防音材として活用することができ、且つ柔らかくて弾力性を持つので、本考案のコルク表層付きマット４０は、ユーザーが倒れても傷つかなく、割れ品物が落下しても割れなく、そしてかびが生えなく、虫は噛まなく、静電気が発生しなく、ユーザーの足と摩擦しても騒音が伝播しない。
【考案を実施するための最良の形態】
【００１２】
以下、添付図面を参照して本考案の好適な実施の形態を詳細に説明する。
【００１３】
まず、図２と図３を参照する。本考案のコルク表層付きマットは、一つのコルク層１０と、一つのＥＶＡ層３０と、一つのゲル層２０とを含む。
【００１４】
前記コルク層１０は、コルクシートを裁断して形成されたものであり、マット４０の表層とされる。
【００１５】
前記ＥＶＡ層３０は、マット４０の底層とされる。
【００１６】
前記ゲル層２０は、前記コルク層１０と前記ＥＶＡ層３０との間に塗布され、マット４０の中層とされ、図２と図３に示すように、熱圧あるいは粘着方式により前記コルク層１０と前記ＥＶＡ層３０とを結合する。
【００１７】
また、図３と図４を参照する。本考案のコルク表層付きマットは、その辺縁の形状は、図３に示すように、タイルのような直線形状にしてもいいし、図４に示すように、組合式マットのような鋸歯形状にしてもいい。
【００１８】
また、図５を参照する。本考案のコルク表層付きマット４０の主な構成は、コルク層１０と、ゲル層２０と、ＥＶＡ層３０とを順次に重ねて、ゲル層２０を介して熱圧あるいは粘着方式により前記コルク層１０と前記ＥＶＡ層３０とを結合する。本考案のコルク表層付きマット４０は、表層であるコルク層１０で人間と接触するので、コルクは、天然の断熱材と防音材として活用することができ、且つ柔らかくて弾力性を持つので、本考案のコルク表層付きマット４０は、ユーザーが倒れても傷つかなく、割れ品物が落下しても割れなく、そしてかびが生えなく、虫は噛まなく、静電気が発生しなく、ユーザーの足と摩擦しても騒音が伝播しなく、耐摩耗性が良く、耐久性が良く、椅子の脚部などの圧力に対する回復性能が強く、汚れが付着し難く、化学性質が良く、地球環境に優しい製品である。
【００１９】
また、図６を参照する。本考案のコルク表層付きマット４０は、更に、焼かれたと模様区域５０がマット４０の上面に形成され、焼き時間の長さを調整することにより、前記模様区域５０の顔色の濃さが変化し、これにより、マット４０の外観がもっと綺麗になる効果がある。
【００２０】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２１】
【図１】従来のＥＶＡ製マットの斜視概略図である。
【図２】本考案の分解斜視図である。
【図３】本考案の組合状態の斜視図である。
【図４】本考案の別の実施例の組合状態の斜視図である。
【図５】本考案の組合状態の断面図である。
【図６】本考案のコルク表層に模様が焼かれた状態を示す概略図である。
【符号の説明】
【００２２】
１        マット                  １０      コルク表層
２０      ゲル層                  ３０      ＥＶＡ層
４０      コルク表層付きマット    ５０      模様区域
【図１】
0003127480.tif 000003
【図２】
0003127480.tif 000004
【図３】
0003127480.tif 000005
【図４】
0003127480.tif 000006
【図５】
0003127480.tif 000007
【図６】
0003127480.tif 000008
【手続補正書】
【提出日】平成18年9月26日(2006.9.26)
【手続補正１】
【補正対象書類名】実用新案登録請求の範囲
【補正対象項目名】請求項１
【補正方法】変更
【補正の内容】
【請求項１】
一つのコルク層と、一つのＥＶＡ層と、一つのゲル層とを含むコルク表層付きマットにおいて、
前記コルク層は、コルクシートを裁断して形成されたものであり、マットの表層とされ、更に焼かれた模様区域が上面に形成され、焼き時間の長さを調整することにより、前記模様区域の濃さが変化し、
前記ＥＶＡ層は、マットの底層とされ、
前記ゲル層は、前記コルク層と前記ＥＶＡ層との間に塗布され、マットの中層とされることを特徴とする、
コルク表層付きマット。
【手続補正２】
【補正対象書類名】明細書
【補正対象項目名】０００６
【補正方法】変更
【補正の内容】
【０００６】
上記目的を達成するためになされた本願の考案は、一つのコルク層と、一つのＥＶＡ層と、一つのゲル層とを含むコルク表層付きマットにおいて、前記コルク層は、コルクシートを裁断して形成されたものであり、マットの表層とされ、更に焼かれた模様区域が上面に形成され、焼き時間の長さを調整することにより、前記模様区域の濃さが変化し、前記ＥＶＡ層は、マットの底層とされ、前記ゲル層は、前記コルク層と前記ＥＶＡ層との間に塗布され、マットの中層とされることを特徴とするコルク表層付きマットであることを要旨としている。